(57)【特許請求の範囲】
【請求項１】
機体フレームの転動輪の回転で駆動される薬液吐出手段により、薬液タンク内の薬液を注入刀より吐出する土壌消毒機において、
上記機体フレームに設けたブラケットに、薬液タンクの載置台より突設したリンクを回転自在に軸着し、上記載置台をブラケットの回転軸を中心として上下方向の所要範囲内で揺動可能とし、かつ、
上記載置台と機体フレームとの間にバネを介在させると共に載置台より指示針を突出させ、機体フレームより立設する目盛板を上記指示針で指示させて、薬液タンクの残量を表示する構成としていることを特徴とする土壌消毒機。
【請求項２】
上記載置台の上下方向の揺動範囲を規制するため、上記機体フレームは上限ストッパーと下限ストッパーを備え、上限ストッパーは上記載置台の上限位置で水平方向に突出して該載置台の上面と接し、下限ストッパーは上記載置台の下限位置で水平方向に突出して該載置台の下面と接するものである請求項１に記載の土壌消毒機。
【請求項３】
上記載置台に被係合部を設けると共に、上記機体フレームに回転可能に係合片を取り付け、作業時は上記係合片を載置台の被係合部に係合して載置台をロック固定している請求項１または請求項２に記載の土壌消毒機。
【請求項４】
上記目盛板に上下方向に延在する長穴を設けると共に、上記機体フレームより突設するガイド棒を上記長穴に挿通して、上記載置台の上下動範囲及び左右の振れを上記ガイド棒と上記長穴の内周縁との当接により規制する構成としている請求項１乃至請求項３のいずれか１項に記載の土壌消毒機。
【請求項５】
上記ガイド棒の端部に上記目盛板を上記機体フレームとの間に挟持固定する固定手段を設けて、上記載置台を上下動範囲の所要位置で位置決め固定する請求項４に記載の土壌消毒機。
【発明の詳細な説明】
【０００１】
【発明の属する技術分野】
本発明は土壌消毒機に関し、詳しくは、土壌消毒機の安全性を確保すると共に薬液の残量確認を可能にして、土壌消毒機の全体的な取扱性の向上を図るものである。
【０００２】
【従来の技術】
従来より、圃場の土壌消毒用として、薬剤の種類に応じて種々の土壌消毒機が使用されている。薬液タイプの薬剤を使用する土壌消毒機は、一般にトラクター等に牽引されて土壌消毒機の転動輪を回転させ、この回転を利用して薬液吐出手段である薬液ポンプを駆動し、土壌中に差し込まれる注入刀より薬液タンクの薬液を吐出している。
【０００３】
図１３（Ａ）は、本出願人が特願平１１−１０４１３８号で開示している消毒剤に薬液を使用する土壌消毒機１であり、機体フレーム１ａ設けられた転動輪２の回転軸２ａのカム２ｂに機体フレーム１ａより延出するスイングアーム３の後端のカムフォロアー３ａを当接させ、スイングアーム３に連結されたプッシュロッド４ａによりダイヤフラム式の薬液ポンプ４を駆動している。機体フレーム１ａ上には、薬液入りの市販の缶をそのまま利用した薬液タンク５を固定し、前方へ可倒する注入刀６の後ろ向きの吐出口６ａから薬液を吐出している。
【０００４】
また、土壌消毒機１は、転動輪２に隣接し上下動可能なソリ８を機体フレーム１ａに取り付け、ソリ８の上面には逆Ｌ字状の制止爪８ａを突出している。消毒作業は一般に圃場の一辺方向に沿って何度も圃場内を往復することで行われ、端部の枕地で方向転換をする時などに機体フレーム１ａの後部を持ち上げて転動輪２を地面より浮かすと、図１３（Ｂ）に示すように、ソリ８は自重により下降し、制止爪８ａが転動輪２の内周面２ｃと接触し転動輪２の回転を止めている。このように転動輪２の回転を止めるのは、クロールピクリン等の薬液は人体に悪影響を及ぼすため、持ち上げ時に転動輪２が惰性や機体振動等により自由に回転すると、薬液ポンプ４が駆動され注入刀６から吐出される薬液に作業者がさらされるのを防止するためである。
【０００５】
【発明が解決しようとする課題】
制止爪８ａによる転動輪２の回転制止は、制止爪８ａと転動輪２の内周面２ａとの接触による摩擦抵抗に頼るだけである。よって、方向転換時の転動輪２を地面から浮かした状態で、作業者が転動輪２と強く接触した場合や土壌消毒機２自体に衝撃が付加された場合等には、上記摩擦抵抗による制止力が負けて転動輪２が回転することもある。そうなると薬液が吐出され作業者にかかる危険性が生じる問題がある。また、上記した場合以外にも、制止爪８ａと転動輪２との接触箇所に水分や泥等が付着していると、充分な制止力が得られず転動輪２が回転するおそれもある。
【０００６】
また、注入刀６は、図１３（Ａ）のように、消毒作業を行う圃場への移動時等には、前方上昇へ可倒して、地面と干渉しないようにしているが、倒した状態では前方へ突出するため、牽引用のトラクタ車輪との干渉を避けるには、機体フレーム１ａを一定の長さ以上の寸法にせざるを得ない。このように機体フレーム１ａの寸法が大きくなると、土壌消毒機１の全長の長くなり取り回し性や取扱性が悪化し、特に、作業空間が制限されるハウス内での取り回しが困難になる問題がある。
【０００７】
一方、薬液は、安全面等の観点より別の透明タンク等に移し替えることなく、上述したように市販の缶の状態で機体フレーム１ａに搭載するが、この市販の缶も薬液の危険性を考慮して、金属製の缶を使用している。よって、作業中は薬液タンク内の残量を外部から確認することができないため、薬液タンクの積み替え時の予想が困難となり、作業往路の途中で薬液が無くなる等で作業工程に無駄が生じることもある。さらに、土壌中に注入される薬液量が正確であるかを容易に確認できない問題もあった。
【０００８】
本発明は、上記した種々の問題に鑑みてなされたものであり、転動輪の制止を確実にして作業者への安全性を確保した上で、機体の全長寸法の縮小すると共に薬液の残量確認を可能にして土壌消毒機の全体的な取扱性および使用性を高めることを課題としている。
【０００９】
【課題を解決するための手段】
上記課題を解決するため、本発明は、機体フレームの転動輪の回転で駆動される薬液吐出手段により、薬液タンク内の薬液を注入刀より吐出する土壌消毒機において、
上記機体フレームに設けたブラケットに、薬液タンクの載置台より突設したリンクを回転自在に軸着し、上記載置台をブラケットの回転軸を中心として上下方向の所要範囲内で揺動可能とし、かつ、
上記載置台と機体フレームとの間にバネを介在させると共に載置台より指示針を突出させ、機体フレームより立設する目盛板を上記指示針で指示させて、薬液タンクの残量を表示する構成としていることを特徴とする土壌消毒機を提供している。このようにすると、薬液タンクの残量を作業中でも把握することができ、残量に応じた作業内容を計算でき、また、吐出される薬液量も正確に確認調整することも可能になる。
本発明の土壌消毒機において、上記転動輪と隣接して上下動可能なソリを備え、該ソリより制止爪を立設して上記転動輪の持ち上げ時に転動輪の内面側と接触させ、
上記転動輪は、上記制止爪との接触箇所の内面全周に、凹部が間隔をあけて連続する歯状部を備え、該転動輪の持ち上げ時に、自重により上記ソリが下降することで、上記制止爪が上記歯状部の凹部に噛み合い、転動輪の回転を制止する構成としていることが好ましい。
【００１０】
このように、ソリに制止爪、転動輪の内周面には歯状部を設けると、転動輪の持ち上げ時には、制止爪は歯状部の凹部と噛み合わされるため、転動輪を無理矢理回転させようとしても不可能となり、確実に薬液の吐出を防止でき、作業者への安全性を確保することができる。また、制止爪や歯状部に水や泥等が付着しても、制止爪が歯状部の凹部にさえ噛み合えば転動輪を制止でき、泥が転動輪内部に付着しやすい圃場の状態や天候等に左右されることなく常に安全性を確保できる。なお、制止爪の歯状部の凹部は、凹部に泥等が詰まった状態でも噛み合えるように、薄板状に形成することが好ましい。さらに、上記ソリと機体フレームとの間には、バネを介在させてソリを下方へ付勢するようにしてもよく、転動輪の持ち上げ時には、バネの付勢力及びソリ自体の自重で強制的にソリを下降でき、制止爪を歯状部の凹部に確実に噛み合わせて転動輪の回転を制止できる。
【００１１】
また、本発明は、上記注入刀は、作業時の垂下姿勢より刀先先端が機体中央に近接する向きに上昇しながら前方へ可倒するように、注入刀の回転軸を傾斜させて機体フレームに取り付けられる構成としていることが好ましい。このような姿勢で注入刀を可倒させると、水平に倒した姿勢で注入刀の先端が前方に位置するトラクタ等の車輪と干渉するおそれがなくなり、それに伴い機体フレームの全長も縮小できる。よって、土壌消毒機自体も小型化でき、方向転換の旋回時等の取扱性も容易に行え、旋回に必要なスペースも小さくて済み、ハウス内の作業もスムーズに行える。
【００１２】
前記したように、本発明は、機体フレームの転動輪の回転で駆動される薬液吐出手段により、薬液タンク内の薬液を注入刀より吐出する土壌消毒機において、
上記機体フレームに設けられる薬液タンクの載置台を重量計測手段と連動して、薬液タンクの残量を表示する構成としている。
【００１３】
上記載置台は、リンクを介在して上下動可能に機体フレームに取り付けられ、上記重量計測手段としてバネを載置台と機体フレームとの間に介在させると共に載置台より指示針を突出させ、機体フレームより立設する目盛板を上記指示針で指示表示することが好ましい。上記のようにすると、電気的な手段等を用いることなく簡易な構成で薬液タンクの残量を確認することができる。
【００１４】
上記機体フレームは、上記載置台の上限位置で水平方向に突出して載置台の上面と接する上限ストッパーと、下限位置で水平方向に突出して載置台の下面と接する下限ストッパーとを、備えることが好ましい。このように上限および下限の各ストッパーを設けると、圃場の表面がうねっていたりしても載置台が過度に振幅することもなくスムーズに振幅を収束させて薬液タンク残量の測定をすみやかに行える。
【００１５】
また、上記載置台は、被係合部を設けると共に、上記機体フレームに回転可能に係合片を取り付け、作業時は、上記係合片を載置台の被係合部に係合して載置台をロック固定するようにしてもよい。このように載置台をロック固定可能にすれば、残量を確認しない時、路上走行時、トラックによる搬送時等においては、載置台をロック固定して薬液タンクが揺れないようにして薬液タンクが不安定な状態となるのを防止できる。
【００１６】
上記載置台は、リンクを介在して上下動可能に上記機体フレームに取り付けられ、上記重量計測手段としてバネを上記載置台と上記機体フレームとの間に介在させると共に上記載置台に設けた目盛板を上記機体フレームより突設する指示針で残量を指示表示する構成としている。このように上述した場合とは逆に、目盛板を載置台より突設すると共に指示針を機体フレームより突出させても、簡易な構成で薬液タンクの残量を確認できる。
【００１７】
また、上記目盛板に上下方向に延在する長穴を設けると共に、上記機体フレームより突設するガイド棒を上記長穴に挿通して、上記載置台の上下動範囲及び左右の振れを上記ガイド棒と上記長穴の内周縁との当接により規制する構成としている。このように目盛板に設けた長穴に機体フレームより突設するガイド棒を挿通すると、固定されたガイド棒に長穴の内周縁が当接して載置台の動きを案内するので、載置台の上下動を安定にできる。
【００１８】
即ち、長穴の内周の上下端縁とガイド棒が当接することで載置台の上下動の範囲が規制され、長穴の上下端縁が上下ストッパーの役目を果たすことができる。また、載置台が左右方向に触れた場合は、長穴内周の左右端縁ともガイド棒は当接することで、載置台の左右の振れ幅を一定範囲内に制限でき、この点においても載置台の安定した上下動を確保できる。
【００１９】
載置台をスムーズに上下動させると共に上記のように載置台の動きを規制するためには、長穴とガイド棒とのクリアランス量を適正にする必要があり、長穴の幅寸法をガイド棒の外径より少しだけ大きく設定することが好ましい。このように載置台のスムーズな動きを確保することで残量計測の精度を向上でき、載置台の動きが安定することで、薬液タンクも不必要に揺れることなく安定した載置固定状態にできる。なお、土壌消毒機の機種によっては、目盛板に長穴を設けることが目盛板の面積的に困難な場合等は、目盛板とは別に、長穴を有するガイドプレート等を設け、このガイドプレートの長穴に挿通するようにガイド棒を機体フレームより突設するようにして載置台の動きを規制するようにしてもよい。
【００２０】
上記ガイド棒の端部に上記目盛板を上記機体フレームとの間に挟持固定する固定手段を設けて、上記載置台を上下動範囲の所要位置で位置決め固定することが好ましい。このようにガイド棒端部に固定手段を設けると、目盛板以外の他の箇所に独立して固定手段を設ける必要がなくなり、固定手段をコンパクトにまとめることができ、また、この固定手段により容易かつ確実に載置台を位置決め固定して薬液タンクの動きを停止できる。
【００２１】
具体的な固定手段としては、ガイド棒の突出端部にネジを切ると共に、ガイド棒に長穴の幅より大径のワッシャーを挿通してからナットを締結し、このナットを締め上げで目盛板をワッシャーと機体フレームとの間に挟持して、目盛板と一体の載置台を容易に位置決め固定できる。また、ナットを緩めれば、即座に目盛板が挟持固定から開放され、載置台がフリーとなり薬液タンクの重量計測が可能な状態にできる。
【００２２】
【発明の実施の形態】
以下、本発明にかかる実施形態の土壌消毒機を図面を参照して説明する。
図１は、本発明の第一実施形態にかかる土壌消毒機１０を示し、いわゆる自走タイプのものであり、機体の前後に伸びる機体フレーム１１の前部に走行用の原動機１２を搭載して前輪１３を駆動回転している。機体フレーム１１の後端には、転動輪１４を回転自在に取り付け、回転軸１４ａのカム１４ｂの回転で、機体フレーム１１後端より延出するブラケット１１ｆに固定された薬液吐出手段であるダイヤフラム式の薬液ポンプ１５を、カムフォロアー１６ａを先端に取り付けたプッシュロッド１６を介して駆動している。
【００２３】
また、機体フレーム１１の中央前方寄りの上方には載置台１７を設けて薬液タンク１８を搭載するようにしており、機体フレーム１１に取り付けられた注入刀１９の後端の薬液吐出部１９ａより薬液タンク１８の薬液を吐出するようにしている。さらに、転動輪１４の側方で前方から後方へ延出するソリ２０も機体フレーム１１に一端部２０ａを回転支点として取り付けている。また、機体フレーム１１の後端より斜め後上方に延出するハンドル２１を設け、このハンドル２１に各種操作用レバーを取り付けている。
【００２４】
図２に示すように、機体フレーム１１は、側方部を構成する両側のサイドフレーム部１１ａを、前端が後端に比べて機体中央に近接するよう斜め配置にして平面視で機体フレーム１１が略Ｖ字形状になるようにしている。これら斜めのサイドフレーム部１１ａの後端より下方に突出する支点ブラケット１１ｂに、上述した注入刀１９を垂下した姿勢から前方上方へ可倒できるように取り付けている。
【００２５】
上記注入刀１９は、垂下姿勢で機体フレーム１１の前後方向の中心軸Ａと平行になるようにしているが、支点ブラケット１１ｂが、サイドフレーム部１１ａと同一方向を向いているため、注入刀１９の回転支点となる上端１９ａを通る回転軸２３を、サイドフレーム部１１ａと直交する方向に取り付けている。よって、サイドフレーム部１１ａが斜めに配置している角度をαとすれば、取付軸２３の中心角度は機体フレーム１１の中心軸Ａと鉛直方向に対して前方へ角度αだけ傾いている。
【００２６】
注入刀１９を前方上方へ持ち上げると取付軸２３の傾斜により、注入刀１９は水平姿勢でサイドフレーム部１１ａと平行に沿った状態になる。よって、持ち上げ時の先端位置が機体フレーム１１の中央側へ入り込み、前輪１３の位置を後輪となる転動輪１４に近づけても干渉が避けられるので、土壌消毒機１０は、前輪１３と転動輪１４の軸間距離Ｌを従来のものに比べて縮小し、土壌消毒機１０の全長寸法も短くしている。
【００２７】
また、左右の各転動輪１４は一定幅を有し、外周面には突起１４ｃを設け、回転軸１４ａを連結して機体の進行に伴い突起１４ｃを土壌中にくい込ませ確実に左右の転動輪１４を一体で回転するようにしている。図３に示すように、左側の転動輪１４の機体中心側の内面全周に、多数の凹部２１ａを間隔を開けて連続させた歯状部２１を設けている。これら凹部２１ａは後述するソリ２０の制止爪２２の爪部２２ｂが入り込む寸法幅に設定している。
【００２８】
左側の転動輪１４に隣接するように機体フレーム１１に取り付けられたソリ２０は、前端２０ａを回転支点として上下動可能にしている。また、本実施形態では、前端２０ａ付近の下面２０ｂよりブラケット２０ｄを突設し、機体フレーム１１に取り付けられたソリ用バネ２３の端部をブラケット２０ｄに取り付けて、ソリ２０を下方に付勢している。なお、ソリ用バネ２３は、ソリ２０が自重により確実に下降する場合等は、必ずしも設ける必要はない。
【００２９】
ソリ２０の転動輪１４の側方となる付近の上面２０ｃからは、逆Ｌ字形状の制止爪２２を突設している。制止爪２２は棒形状の部材を屈折して形成されており、上部に位置する水平部２２ａの先端下方には、板状の爪部２２ｂを取り付けている。
【００３０】
一方、図４に示すように、薬液タンク１８の載置台１７は載置面となる上面１７ａの前方より保持柱１７ｂを立設し、上端および下端にタンクガイド１７ｃを設けると共に薬液タンク１８を保持するゴムバンド２４も取り付けている。また、保持柱１７ｂの背面からはリンク部１７ｄを略水平方向に突設し、リンク部１７ｄの端部を機体フレーム１１のブラケット１１ｃに回転可能に取り付け、載置台１７をブラケット１１ｃの回転軸を中心に上下方向に揺動可能にしている。
【００３１】
さらに、重量計測手段として載置台１７の下面１７ｆと機体フレーム１１との間にはバネ２５を介在させており、載置台１７の後端中央部には指示針２６を取り付けて、機体フレーム１１より垂直方向に指示針２６と対向するように立設する目盛り板２７を指示するようにしている。
【００３２】
また、機体フレーム１１からは、載置台１７の前端側で載置台１７の可動範囲の上限より高い位置まで延出するストッパーブラケット２８を立設している。このストッパーブラケット２８の上端からは載置台１７の方向に上限ストッパー２８ａを水平に突設し、また、載置台１７の可動範囲の下限位置で下限ストッパー２８ｂを上限ストッパー２８ａと同方向に突設している。なお、載置台１７の下面１７ｆの中央より少し前方付近には、被係合部として窪部１７ｅを凹設している。
【００３３】
さらに、図５に示すように、載置台１７の下方には、Ｌ字形状の係合片３０を回転自在に機体フレーム１１の中心に取り付けており、係合片３０の一片部３０ａの端部には、ハンドル２１に取り付けた載置台固定用のレバー３１とワイヤー３２を介して連結している。また、係合片３０の他片部３０ｂは先端を円弧状に形成した係合部とし、レバー３１を握ることにより、図１に示す略水平姿勢の他片部３０ｂが、図５の略直立姿勢の状態に回転変位して、他片部３０ｂの先端が載置台１７の窪部１７ｅに挿入係合され、載置台１７を薬液タンク１８の重量に係わらず固定している。なお、載置台１７の固定は、上記形態に限定されるものではなく、他にレバー等を設け、レバー等の摩擦により載置台１７の上下動を制動させるようにしてもよい。
【００３４】
上述した土壌消毒機１０により、土壌消毒作業を行うには、先ず、薬液の入った缶を載置台１７に載置すると共にゴムバンド２４で固定し、当該缶を薬液タンク１８としてそのまま利用している。次に、薬液ポンプ１５のバルブ開度等を調整して薬液の吐出量を調整し、消毒する圃場の作業開始地点で機体フレーム１１の両側の注入刀１９を下降して垂下姿勢にしている。また、レバー３１を握ってロックし載置台１７を固定状態にしている。
【００３５】
上記状態で、原動機１２を始動して土壌消毒機１０を前進させ、転動輪１４の回転で薬液ポンプ１５を駆動し、注入刀１９より土壌中に薬液を吐出注入している。消毒作業中、吐出量の確認等のため薬液タンクの残量を確認したい場合は、土壌消毒機１０を停止してレバー３１を解除して載置台１７をフリーな状態にすれば、薬液タンク１８の重量に応じてバネ２５が収縮するに伴い載置台１７の位置も変位し、位置が落ち着いた状態で指示針２６が示す目盛りを読みとることで薬液残量を確認している。なお、上下限ストッパー２８ａ、２８ｂにより載置台１７の振幅は制限されて、すみやかに振れが収束し残量確認に長時間を要することはない。
【００３６】
一方、土壌消毒機１０を圃場の一辺に沿って進行させて方向転換をする際は、図６に示すように、枕地等でハンドル２１を作業者Ｓが持ち上げて転動輪１４を地面より浮かしている。このようにすると、ソリ２０は、図７（Ａ）の下面２０ｂが地面に接して制止爪２２の爪部２２ｂが転動輪１４の歯状部２１の上方に位置する状態から、図７（Ｂ）に示すようにソリ２０の自重およびバネ２３の付勢力により下降している。
【００３７】
この下降により、図８に示すように、制止爪２２の爪部２２ｂが転動輪１４の歯状部２１の一つの凹部２１ａに入り込んで噛み合い、転動輪１４の回転を完全に制止している。よって、転動輪１４が回転しないため、薬液ポンプ１５も駆動されず、作業者が薬液にさらされる事態を防止している。なお、爪部２２ｂは板状片であるため、凹部２１ａに泥等が詰まっていても、泥等に差し込みが可能であり、確実に転動輪１４をロック停止する。なお、左右の転動輪１４は回転軸１４ａで連結されているので、一方を制止すれば他方も停止される。
【００３８】
なお、本発明の土壌消毒機は上述した形態に限定されるものではなく、変形例として、図９（Ａ）に示すように、トラクター等で牽引するタイプの土壌消毒機１０’にも適用可能であり、上記同様に、転動輪１４’の内周面に歯状部２１’を設け、ソリ２０’の制止爪２２’との噛み合わせで薬液の吐出を防止するようにしてもよい。
【００３９】
なお、図９（Ｂ）は参考例を示し、該参考例の自走式の土壌消毒機１０”のように、薬液タンクの重量計測手段を省略することも可能であり、この場合は、機体フレーム１１”に固定される薬液タンク１８”は、前輪１３”寄りに固定することで、機体重心を前寄りして、旋回時等の機体後部の持ち上げ容易にしている。なお、転動輪１４”の歯状部２１”とソリ２０”の制止爪２２”との関係や、注入刀１９”の取り付け姿勢は上述した第一実施形態の土壌消毒機１０と同様である。また、上記のように傾斜可倒を可能にした注入刀は、ソリや重量計測手段を設けていない土壌消毒機にも独立して適用可能であり、重量計測手段も傾斜可能な注入刃やソリとは別に、独立して土壌消毒機に適用することが可能である。もちろんソリの制止構造も独立して土壌消毒機に適用可能である。
【００４０】
図１０は、本発明の第二実施形態の土壌消毒機５０であり、載置台５７及び重量計測手段等の関連部分以外は、第一実施形態の土壌消毒機１０と同様の構成にしている。
載置台５７は、図１１にも示すように、長板状の板片を矩形状に囲うように屈曲させて薬液タンク１８の載置部５７ａを形成すると共に、前方側の端部からは保持柱５７ｂを立ち上げ、この保持柱５７ｂの上端には湾曲形状のタンクガイド５７ｃを設けている。さらに、保持柱５７ｂの背面からはリンク部５７ｄを前方側へ突設し、リンク部５７ｄの前端５７ｅを機体フレーム５１のブラケット５１ｃに回転可能に取り付けて、載置台５７をブラケット５１ｃを中心にして上下方向に揺動可能にしている。
【００４１】
また、重量計測手段としては載置台５７の載置部５７ａを左右に横断する上端バネ固定部５７ｆと機体フレーム５１より突設する下端バネ固定部５１ｇの間に、バネ６５を介在させて載置台５７を上方へ付勢している。さらに、載置部５７ａの後端５７ｇより目盛板６７を下方に突設すると共に機体フレーム５１より突設する指示針６６で残量を表示するようにしている。
【００４２】
目盛板６７は、所要の剛性を有し、機体フレーム５１後方のボックス部５１ｈの前面５１ｊへ到達する長さ寸法の板材で形成されており、載置部５７ａの後端５７ｇが載置台５７の上下動時には円弧状軌跡を描くのに合わせて、板材自体を側方視で湾曲した形状に形成している。また、下方は幅方向を少し狭くすると共に、中央部分の上下方向に長穴６７ｃを形成している。この長穴６７ｃは、穴長さを載置台５７の上下動範囲と略一致する寸法に設定し、穴幅は所要の剛性が確保できる寸法に設定している。さらに、図１２にも示すように、目盛板６７の後面６７ａ側には重量数値の目盛り６７ｂを付けて、機体フレーム５１のボックス部５１ｈから上方に突設する指示針６６で目盛りの重量数値を指示表示するようにしている。
【００４３】
一方、機体フレーム５１のボックス部５１ｈの前面５１ｊからは、ガイド棒６８を突設し、目盛板６７の長穴６７ｃの内部に挿通している。ガイド棒６８は、長穴６７ｃの幅寸法より少し小さい外径寸法で所要剛性を確保しており、外周部分にネジを切っている。また、ガイド棒６８の突設箇所は、バネ６５に付勢された載置台５７に薬液タンク１８を載置しない無負荷の状態で、ガイド棒６８と長穴６７ｃの下端縁６７ｄが当接し、載置台６７の最下降附近手前で長穴６７ｃの上端縁６７ｅと当接する位置に設定している。
【００４４】
ガイド棒６８の目盛板６７の前面６７ｆ側より突出する箇所には、固定手段として長穴６７ｃの幅寸法より大径のワッシャー６９を複数枚挿通すると共にレバー７０ａを突設したナット７０を締結している。レバー７０ａを突設しているのは、工具を使用することなくレバー７０ａの把持によりナット７０を回転可能にするためであり、ナット７０を締め付ける方向に回転すると、ナット７０及びワッシャー６９がボックス部５１ｈ側へ移動し、目盛板６７がワッシャー６９とボックス部５１ｈの前面５１ｊで挟持されて載置台５７を上下可動範囲内の所要高さで位置決め固定可能にしている。また、ナット７０を緩める方向に回転すると、挟持固定状体から目盛板６７が開放され、載置台５７はフリーな状態となっている。
【００４５】
載置台５７がフリーな状態であれば、載置部５７ａに載置された薬液タンク１８の重量に応じて載置台５７が下方に沈みこみ、図１２に示すように、指示針６６が指示する目盛数値が薬液タンク１８内の薬液量として確認できる。なお、消毒作業中の機体進行時も載置台５７をフリーにしておくことは可能であり、目盛り６７ｂおよび指示針６６はハンドル６１側に設けられているので、作業者は土壌消毒作業中でも目盛数値を確認でき、残液量の把握が可能である。
【００４６】
また、載置台５７の上下動は、長穴６７ｃ内にガイド棒６８が位置していても、ガイド棒６８の外径が穴幅より少し小径なので、動きを妨げることなくスムーズ上下動可能である。また、載置台５７がクリアランスの分だけ左右方向に振れた場合は、ガイド棒６８と長穴６７ｃの内周の左右端縁が当接することで、必要以上に左右の振れが大きくなることを防いでいる。また、規定重量以上の負荷が載置台に加わった際や、載置台５７が空の場合は、ガイド棒６８が長穴６７ｃの内周の上下内縁６７ｄ、６７ｅと当接して上下ストッパーの役目を果たすので、バネ６５を保護して重量測定手段に不具合が発生するのを防止している。
【００４７】
なお、第二実施形態の土壌消毒機の変形例としては、消毒機の大きさの関係等から、目盛板の面積を大きくできない場合等には、目盛板とは別に上記同様の長穴を有するガイドプレートを別体で設け、このガイドプレートの長穴に挿通するように固定手段を有するガイド棒を機体フレームより突設するようにしてもよい。また、第二実施形態の土壌消毒機もトラクター等で牽引するタイプの土壌消毒機にも適用可能である。
【００４８】
【発明の効果】
上記した説明より明らかなように、本発明にかかる土壌消毒機を用いると、薬液タンクの残量を確認可能にすることで、正確な薬液の吐出量も点検することができ、作業内容を適正に行うことができると共に、薬液の残量に応じた作業も可能となり、土壌消毒機の使用性を高められる。その上、作業中は薬液タンクの載置台を固定できるので、薬液タンクが不安定な状態になることも防止でき薬液タンクの落下等の事態も防げる。
また、方向転換時等に機体後部を持ち上げれば、必ず転動輪の回転が制止されるため、薬液ポンプの不用意な作動を防止できる。よって、薬液ポンプが作動しなければ、注入刀より薬液が吐出されることもなくなり、作業者が人体に影響を及ぼす薬液にさらされる危険性を確実に防止して消毒作業の安全性を高めて、土壌消毒機の取扱性を向上できる。
【００４９】
また、注入刀の上昇姿勢を、先端が機体中央側へ傾くようにすることで、前輪等との干渉を考慮する必要が無くなり、土壌消毒機の全長寸法の縮小が可能となり全体を小型化することができ、取り回し性の向上を図ることができる。
【００５０】
また、上下動可能な載置台より長穴を有する目盛板を突設すると共に機体フレームより固定手段を有するガイド棒を突設して長穴に挿通した場合は、載置台を安定して上下動でき、使用状況に応じて載置台のフリー状態および挟持固定状態とを容易に切り換えることができる。しかも、目盛りおよび指示針は後ろ向きに設けられているので、消毒作業中であっても残液量の確認を容易に行え、薬液量を把握した作業を実践できる。
【図面の簡単な説明】
【図１】  本発明の第一実施形態にかかる土壌消毒機の側面図である。
【図２】  第一実施形態の土壌消毒機の機体フレーム上方からの平面図である。
【図３】  左側の転動輪周辺の斜視図である。
【図４】  載置台周辺の斜視図である。
【図５】  載置台周辺の側面図である。
【図６】  土壌消毒機の方向転換時の概略図である。
【図７】  （Ａ）は、転動輪が制止されていない状態の概略図、（Ｂ）は転動輪が制止されている状態の概略図である。
【図８】  制止爪が歯状部に噛み合う状態の要部拡大斜視図である。
【図９】  （Ａ）は変形例の土壌消毒機の側面図、（Ｂ）は参考例の土壌消毒機の側面図である。
【図１０】  本発明の第二実施形態にかかる土壌消毒機の側面図である。
【図１１】  第二実施形態の土壌消毒機の載置台周辺の斜視図である。
【図１２】  第二実施形態の土壌消毒機の目盛板周辺の斜視図である。
【図１３】  （Ａ）（Ｂ）は従来の土壌消毒機の概略図である。
【符号の説明】
１０、５０      土壌消毒機
１１、５１      機体フレーム
１２            原動機
１３            後輪
１４            転動輪
１７、５７      載置台
１７ｄ、５７ｄ  リンク部
１８            薬液タンク
１９            注入刀
２０            ソリ
２１            歯状部
２２            制止爪
２５、６５      バネ
２６、６６      指示針
２７、６７      目盛板
３０            固定片
５１ｈ          ボックス部
６７ｃ          長穴
６９            ワッシャー
７０            ナット
【図１】
0003809480.tif 000002
【図２】
0003809480.tif 000003
【図３】
0003809480.tif 000004
【図４】
0003809480.tif 000005
【図５】
0003809480.tif 000006
【図６】
0003809480.tif 000007
【図７】
0003809480.tif 000008
【図８】
0003809480.tif 000009
【図９】
0003809480.tif 000010
【図１０】
0003809480.tif 000011
【図１１】
0003809480.tif 000012
【図１２】
0003809480.tif 000013
【図１３】
0003809480.tif 000014